(57)【要約】  【課題】  十分な強度および水密性能を確保するとともに施工性に優れ、梁と梁の中間部においても折板屋根材どうしのすくいかぶせの嵌合が容易となる嵌合式折板屋根材の取付構造を提供すること。  【解決手段】  屋根の構造材上に立設固定されたタイトフレーム９に折板屋根材１を取り付ける折板屋根材の取付構造であって、隣り合う折板屋根材１，１の一方の端の頂部４’近傍と他方の端の頂部４近傍に第一係止部７を設け、折板屋根材１の底部３近傍には第二係止部８を形成し、前記タイトフレーム９には、第一係止部７が係止する第一被係止部１１ａ，１２ａを備えた第一嵌合部Ｋ１と、第二係止部８が係止する第二被係止部１６を備えた第二嵌合部Ｋ２とを設けて、前記頂部４’と第一嵌合部Ｋ１、前記底部３と第二嵌合部Ｋ２とをそれぞれ嵌合固定してある。  【選択図】  図４
2006046004.tif 000002
【特許請求の範囲】
【請求項１】
屋根の構造材上に立設固定されたタイトフレームに折板屋根材を取り付ける折板屋根材の取付構造であって、隣り合う折板屋根材の一方の端の頂部近傍と他方の端の頂部近傍に第一係止部を設け、折板屋根材の底部近傍には第二係止部を形成し、前記タイトフレームには、第一係止部が係止する第一被係止部を備えた第一嵌合部と、第二係止部が係止する第二被係止部を備えた第二嵌合部とを設けて、前記頂部と第一嵌合部、前記底部と第二嵌合部とをそれぞれ嵌合固定してあることを特徴とする折板屋根材の取付構造。
【請求項２】
隣り合う折板屋根材の一方の端の頂部と他方の端の頂部とをすくいかぶせの嵌合により連結してある請求項１に記載の折板屋根材の取付構造。
【請求項３】
前記タイトフレームの第一被係止部を、前記すくいかぶせに相対する部分のみに設けてある請求項２に記載の折板屋根材の取付構造。
【発明の詳細な説明】
【技術分野】
【０００１】
本発明は、例えば工場や倉庫、事務所、店舗等の建築物の屋根に適用される折板屋根材の取付構造に関する。
【背景技術】
【０００２】
従来より、屋根の構造材上に立設固定されたタイトフレームに折板屋根材を取り付ける構造として、折板屋根材の上部又は下部をタイトフレーム（受金具）に嵌合するものがある（特許文献１〜８参照）。この嵌合式の取付構造によれば、折板屋根材をタイトフレームに取り付ける際、ボルトの締め付け等の作業を省くことができ、施工性が向上する。
【特許文献１】特公平３−４８９８６号公報
【特許文献２】特公平３−４８９８７号公報
【特許文献３】特許第２６１８３９３号公報
【特許文献４】特許第３４２６５４８号公報
【特許文献５】特許第３５１０１２８号公報
【特許文献６】特開２００４−３３７３号公報
【特許文献７】特開２００１−１３２１７６号公報
【特許文献８】特開平１０−１８３８８４号公報
【発明の開示】
【発明が解決しようとする課題】
【０００３】
しかし、特許文献１〜特許文献５の取付構造は、折板屋根材の上部のみをタイトフレームに嵌合する嵌合部分としたものであり、施工性は向上するが耐風圧（負圧）強度に関しては問題があった。また、例えば、特許文献６〜特許文献８の取付構造のように折板屋根材の下部（底部）のみをタイトフレームに嵌合し、上部（頂上部）を馳締めによってタイトフレームに固定すると、耐風圧（負圧）強度や接続部の水密機能は向上するが、馳締めのための工具や部品が必要となり工数も増え施工性が悪くなるという問題が生じる。
【０００４】
すなわち、特許文献１〜特許文献８に示す上記従来の取付構造では、折板屋根材とタイトフレームとの嵌合部分を折板屋根材の上下部いずれか一方に設ける構造としており、そのため、各嵌合部分について強度や水密機能を確保すると施工、即ち嵌合部の嵌め込みが困難となる傾向があり、逆に、施工性の向上を図ると各嵌合部分に強度や水密機能を持たせることができなくなり、両立させようとした場合、嵌合部分の構造が複雑になり部品点数も増加する。
【０００５】
しかも、隣り合う折板屋根材どうしはすくいかぶせの嵌合により連結されるのが一般的であるが、屋根の構造材の中間部、即ち梁と梁の中間部では、折板屋根材を係止（支持）する為のタイトフレームが無いので、施工時に、折板屋根材のすくいかぶせの連結部のかぶせ側を踏み込むあるいは押し込む時にすくい側が逃げて正常な嵌合が得られ難いという課題がある。そして、嵌合強度と水密性能を重視して、嵌合部のすくい側とかぶせ側のかみ合わせを深くするほど、前記嵌合はより困難となる。
【０００６】
本発明は上述の事柄に留意してなされたもので、その目的は、十分な強度および水密性能を確保するとともに施工性に優れ、梁と梁の中間部においても折板屋根材どうしのすくいかぶせの嵌合が容易となる嵌合式折板屋根材の取付構造を提供することである。
【課題を解決するための手段】
【０００７】
上記目的を達成するために、本発明の折板屋根材の取付構造は、屋根の構造材上に立設固定されたタイトフレームに折板屋根材を取り付ける折板屋根材の取付構造であって、隣り合う折板屋根材の一方の端の頂部近傍と他方の端の頂部近傍に第一係止部を設け、折板屋根材の底部近傍には第二係止部を形成し、前記タイトフレームには、第一係止部が係止する第一被係止部を備えた第一嵌合部と、第二係止部が係止する第二被係止部を備えた第二嵌合部とを設けて、前記頂部と第一嵌合部、前記底部と第二嵌合部とをそれぞれ嵌合固定してあることを特徴としている（請求項１）。
【０００８】
ここで、隣り合う折板屋根材の一方の端の頂部と他方の端の頂部とをすくいかぶせの嵌合により連結してあってもよい（請求項２）。
【０００９】
また、前記タイトフレームの第一被係止部を、前記すくい側の頂部に相対する位置のみに設けてあってもよい（請求項３）。
【発明の効果】
【００１０】
請求項１および２に係る発明では、十分な強度および水密性能を確保するとともに施工性に優れ、梁と梁の中間部においても折板屋根材どうしのすくいかぶせの嵌合が容易となる嵌合式折板屋根材の取付構造が得られる。すなわち、本発明では、タイトフレームに折板屋根材を取り付ける際に、両者の嵌合作業を行えばよく、馳締め等の手間がかかる作業が不要であるから、施工性に優れたものとなる。また、本発明では、折板屋根材とタイトフレームとの嵌合部分として、前記頂部と第一嵌合部、前記底部と第二嵌合部の２種の嵌合部分を設けるので、前記２種の嵌合部分の一方に耐風圧（負圧）強度を持たせ、他方に水密性能を持たせれば、各嵌合部分の構造をシンプルにすることができ、部品点数も最小限に抑えることができる。
【００１１】
特に、前記第二嵌合部に主に耐風圧強度を負担させることにより、第一嵌合部は折板屋根材どうしのすくいかぶせの連結と水密性能を主に負担することが可能になる。このとき、すくいかぶせにより連結される折板屋根材の頂部（連結部）を第一嵌合部と相互に深く嵌合させる必要が無く、折板屋根材の頂部どうしの嵌め込みやすさを重視した形状とすることが可能になる。従って、梁と梁の中間部分のタイトフレームが無い部分でも、折板屋根材どうしのすくいかぶせによる嵌合を容易に行うことができる。
【００１２】
また、第一嵌合部の役割が折板相互の連結と水密性能の確保であれば、折板屋根材の中間山部の第一嵌合部はタイトフレームに係止する必要が無い。即ち、折板屋根材の中間山部は第二係止部で強固にタイトフレームに係止されていればよい。従って、請求項３に記載しているように、前記タイトフレームの第一被係止部を、前記折板屋根材のすくいかぶせに相対する部分のみに設け、折板屋根材の中間山部に相対するタイトフレームの部分には第一被係止部（第一嵌合部）を設けず第二被係止部（第二嵌合部）のみとすることが可能となり、この場合、タイトフレームの構造が簡略化され、コストを大幅に下げ、軽量化を図ることが可能である。
【発明を実施するための最良の形態】
【００１３】
図１〜図４は本発明の一実施の形態を示す。図１において、１は薄鋼板を波状に折り曲げ加工して形成された３山タイプの折板屋根材であり、山形部２と、この山形部２の下部に連設され、ほぼ水平に延びる底部（どぶ底、どぶ板とも呼ばれる平坦部分）３とを交互に有している。
【００１４】
前記山形部２は、ほぼ水平に延びる頂部４と、この頂部４の両側から斜め下側に向けて延びる二つの側壁部５，６とを備えている。
【００１５】
そして、前記頂部４近傍に第一係止部７が、底部３近傍に第二係止部８が形成されている。すなわち、山形部２は、前記頂部４から底部３までの間に、上側（頂部４側）から順に、外側に広がる上側拡大斜面部２ａと、内側に狭まる上側縮小斜面部２ｂと、二つの側壁部５，６と、内側に狭まる下側縮小斜面部２ｃと、外側に広がる下側拡大斜面部２ｄとを有している。そして、上側縮小斜面部２ｂと二つの側壁部５，６の上端部とによってくびれ部分が形成され、このくびれ部分が前記第一係止部７となっており、また、下側縮小斜面部２ｃと二つの側壁部５，６の下端部とによってくびれ部分が形成され、このくびれ部分が前記第二係止部８となっている。
【００１６】
ここで、前記折板屋根材１の一端に設けられた頂部４’は、他の頂部４に比べて若干小さく形成されており、図３に示すように、隣り合う折板屋根材１，１の一方の端の頂部４’と他方の端の頂部４とを重ね合わせてすくいかぶせの嵌合により連結することができるように構成されている。この連結の際には、すくい側の頂部４’の第一係止部７’の外側にかぶせ側の頂部４の第一係止部７が係止した状態となる。また、この実施の形態では、各折板屋根材１は前記第一係止部７、７’を四つ有し、両端の第一係止部７，７’の外側に連なる側壁部５，６がそれぞれ上部で切断されている。
【００１７】
図２は、屋根の下地材などの構造材（鉄骨等）上に溶接等により立設固定されるタイトフレーム９の構成を概略的に示す斜視図である。この図に示すように、タイトフレーム９は、平面視ほぼ矩形状で平板状の底板部１０を備え、この底板部１０の２対の辺の一方に、一対（同一形状）の壁体１１，１２が連設され、他方に一対の凹凸壁１３，１３が連設されている。そして、タイトフレーム９は、一枚の板からプレス成形（切り起こし）により成形することができる形状となっている。
【００１８】
前記壁体１１，１２は、ほぼ鉛直に起立しており、上部に、前記折板屋根材１の第一係止部７’が係止する第一被係止部１１ａ，１２ａを備えている。詳しくは、壁体１１の上端から内側（図２では右側）に向けてほぼ水平に延びる天部１１ｂが設けられており、第一被係止部１１ａは、この天部１１ｂの先端から斜め下側に向けて延びている。また、壁体１２の上端から内側（図２では左側）に向けてほぼ水平に延びる天部１２ｂが設けられており、第一被係止部１２ａは、この天部１２ｂの先端から斜め下側に向けて延びている。
【００１９】
ここで、前記タイトフレーム９は、隣り合うタイトフレーム９の同一形状の壁体１１，１２どうしが当接するように複数並べて配置される。そして、当接した壁体１１，１２の上部と、第一被係止部１１ａ，１２ａと、天部１１ｂ，１２ｂとで、前記折板屋根材１の頂部４に嵌合固定される第一嵌合部Ｋ１が構成される（図４参照）。
【００２０】
一方、前記一対の凹凸壁１３は、ほぼ鉛直に起立した一定高さの壁を、適宜の間隔で下部を残して切り欠いた形状となっており、具体的には、複数の壁部１４を備え、隣り合う壁部１４，１４間には小壁１５が設けられている。そして、壁部１４の両側上部に、前記折板屋根材１の第二係止部８が係止する第二被係止部１６が設けられている。すなわち、前記壁部１４の上縁部１４ａがほぼ水平に延びており、この上縁部１４ａの両側に、外側に広がる拡大傾斜部１４ｂが連設され、また、この拡大傾斜部１４ｂの下側に、内側に狭まる縮小傾斜部１４ｃが連設されている。そして、拡大傾斜部１４ｂと縮小傾斜部１４ｃとで前記第二被係止部１６が構成されている。また、壁部１４において第二被係止部１６の下側にはほぼ垂直に延びる側縁部１４ｄが形成されている。
【００２１】
ここで、小壁１５を挟んで設けられた壁部１４の向かい合う二つの第二被係止部１６によって、前記折板屋根材１の底部３が嵌合固定される第二嵌合部Ｋ２が構成される。
【００２２】
上記タイトフレーム９に折板屋根材１を取り付けるには、図４に示すように、隣り合うタイトフレーム９の壁体１１，１２を当接させ、これにより形成された前記第一嵌合部Ｋ１を折板屋根材１の前記頂部４’に嵌合固定する。このとき、壁体１１，１２の第一被係止部１１ａ，１２ａにそれぞれ折板屋根材１の第一係止部７’の上側縮小斜面部２ｂが直接係止した状態となる。同時に、前記頂部４’にすくいかぶせの嵌合によって連結される頂部４の第一係止部７が、この頂部４’の第一係止部７’を介して前記第一被係止部１１ａ，１２ａに間接的に係止した状態となる。
【００２３】
また、折板屋根材１の各底部３をタイトフレーム９の第二嵌合部Ｋ２に嵌合固定する。このとき、折板屋根材１の側壁部５，６の下部がタイトフレーム９の拡大傾斜部１４ｂに当接するとともに、折板屋根材１の下側縮小斜面部２ｃがタイトフレーム９の縮小傾斜部１４ｃに当接する状態となる。
【００２４】
上記の作業により、タイトフレーム９に対する折板屋根材１の取り付けが完了する。すなわち、折板屋根材１の頂部４’および底部３にタイトフレーム９の第一嵌合部Ｋ１および第二嵌合部Ｋ２を嵌合する際、第一係止部７，７、第二係止部８，８、第一被係止部１１ａ，１２ａおよび第二被係止部１６，１６がそれぞれ適宜に弾性変形し、嵌合後には各部のスプリングバック効果によってその嵌合状態が良好に保たれることになる。
【００２５】
なお、この実施の形態では、前記すくいかぶせの嵌合により隣の折板屋根材１の頂部４が上側に嵌装されたすくい側の頂部４’に、第一嵌合部Ｋ１が嵌合するように構成されており、前記タイトフレーム９の第一被係止部１１ａ，１２ａを、前記すくいかぶせに相対する部分のみに設けてある。また、各タイトフレーム９は、３山タイプの折板屋根材１に対応した形状・サイズとなっており、各折板屋根材１の三つの底部３に嵌合する三つの第二嵌合部Ｋ２を備え、さらに、両端の壁部１４Ａ，１４Ｂは壁部１４をほぼ半分に切断した形状となっている。
【００２６】
上記の構成からなる取付構造では、折板屋根材１の頂部４’と第一嵌合部Ｋ１との嵌合部分は、折板屋根材１どうしを連結する役割と水密性能を発揮する役割とを持ち、折板屋根材１の底部３と第二嵌合部Ｋ２との嵌合部分は、耐風圧（負圧）強度を負担する役割を持つことになる。このように役割を上記２種の嵌合部分に分担させたことにより、各嵌合部分を備えた前記取付構造はシンプルな構成で部品点数の少ないものとなっている。
【００２７】
また、折板屋根材１の底部３に対する第二嵌合部Ｋ２の嵌合により耐風圧強度を確保しているので、タイトフレーム９の両端のみに第一嵌合部Ｋ１を構成する同一形状の壁体１１，１２等を設け、その間に折板屋根材１の底部３に嵌合する第二嵌合部Ｋ２を設けるだけで十分であり、第一嵌合部Ｋ１を例えば各壁部１４の中央に設ける必要はない。しかし、壁部１４の中央に第一嵌合部Ｋ１を設けてもよい。
【００２８】
なお、本発明は上記の実施の形態に限られず、種々に変形して実施することができる。例えば、前記折板屋根材１は３山タイプに限られず、１山タイプ、２山タイプや４山以上のタイプであってもよい。
【００２９】
また、折板屋根材１の側壁部５，６は、頂部４の両側から斜め下側に向けて延びるものに限られず、例えば、頂部４の両側からほぼ下側に向けて延びていてもよい。
【００３０】
さらに、折板屋根材１およびタイトフレーム９の構成も種々に変形することができる。例えば、図５に示すように、折板屋根材１の山形部２の頂部４が水平ではなく、上側に向けて尖る形状となっていてもよい。また、第二係止部８の側方への突出量を増して、底部３と第二嵌合部Ｋ２との嵌合固定をより強力に行えるようにしてもよい。加えて、前記第二係止部８は、山形部２の側壁部５，６の下端ではなく、図５に示すように、下端から上方に適宜の距離だけ離れた位置に設けてもよい。
【００３１】
また、前記タイトフレーム９を一枚の長尺の薄金属板（鋼帯等）を折曲して成形することができる形状としてもよい。具体的には、タイトフレーム９は、図６に示すように構成することが考えられる。すなわち、図６に示すタイトフレーム９は、両端にほぼ鉛直に起立した前記壁体１１，１２を備え、二つの壁体１１，１２の間に、盛り上がり部１７とこの盛り上がり部１７の下部に連設される底部１８とを交互に有している。
【００３２】
前記盛り上がり部１７は、その上面部１７ａがほぼ水平に延びる板状となっており、この上面部１７ａの両側に、外側に広がり、前記折板屋根材１の側壁部５，６に当接する拡大傾斜部１７ｂが連設され、また、この拡大傾斜部１７ｂの下側に、内側に狭まり、折板屋根材１の下側縮小斜面部２ｃに当接する縮小傾斜部１７ｃが連設されている。そして、拡大傾斜部１７ｂと縮小傾斜部１７ｃとで前記第二被係止部１６が構成される。また、盛り上がり部１７において第二被係止部１６の下側にはほぼ垂直に延びる側面部１７ｄが形成されている。また、底部１８は、ほぼ水平に延びる板状となっている。
【００３３】
また、図６に示すタイトフレーム９では、壁体１１，１２の下端に連設される底部１８Ａ，１８Ｂが他の底部１８に比べて短く、また、この底部１８Ａ，１８Ｂに連設される盛り上がり部１７Ａ，１７Ｂも、他の盛り上がり部１７に比べて短く、しかも、盛り上がり部１７Ａの壁体１１に近い側の端部には第二被係止部１６が設けられておらず、盛り上がり部１７Ｂの壁体１２に近い側の端部にも第二被係止部１６が設けられていない。
【００３４】
さらに、図６に示すタイトフレーム９では、壁体１１，１２の上端に第一被係止部１１ａ，１２ａが直接連設されている。しかし、壁体１１，１２の上端に、図２に示した天部１１ｂ，１２ｂを介して第一被係止部１１ａ，１２ａを連設してもよい。
【００３５】
また、図６に示すタイトフレーム９は盛り上がり部１７を一つのみ有していたが、図７に示すように、二つ有していてもよい。この場合、底部１８は三つ設けられることになる。もちろん、前記盛り上がり部１７は三つ以上設けられていてもよい。また、図７に示すタイトフレーム９では、第一被係止部１１ａ，１２ａが、壁体１１，１２の上端に天部１１ｂ，１２ｂを介して連設されているが、天部１１ｂ，１２ｂを介さずに直接連設されていてもよい。
【００３６】
また、タイトフレーム９を図８に示すように構成してもよい。すなわち、この図に示すタイトフレーム９は、図５に示したタイプの折板屋根材１に対応するものであり、ほぼ鉛直に起立する壁体１１，１２を両端に備え、壁体１１，１２の上端に、第一係止部７が係止し、第一嵌合部Ｋ１を構成するほぼ板状の第一被係止部１１ａ，１２ａが突設されている。さらに、壁体１１，１２の上端にほぼ水平に延びる平坦部分１９Ａ，１９Ｂが連設され、平坦部分１９Ａ，１９Ｂの間には、盛り上がり部２０とこの盛り上がり部２０の下部に連設される底部２１とが交互に設けられている。
【００３７】
前記盛り上がり部２０は、その上面部２０ａがほぼ水平に延びる板状となっており、この上面部２０ａの両側に、外側に広がる拡大傾斜部２０ｂが連設されている。また、両側の平坦部分１９Ａ，１９Ｂは、盛り上がり部２０の上面部２０ａよりも高く形成されており、前記平坦部分１９Ａ，１９Ｂには斜面部２２Ａ，２２Ｂを介して底部２１が連設されている。そして、拡大傾斜部２０ｂの上部両端と、斜面部２２Ａ，２２Ｂのほぼ中央部両端とに、ほぼ三角形板状の第二被係止部１６が突設されており、この第二被係止部１６は、折板屋根材１の側壁部５，６に当接する拡大傾斜部１４ｂと、下側縮小斜面部２ｃに当接する縮小傾斜部１４ｃとを有している。また、底部２１は、ほぼ水平に延びる板状となっている。さらに、前記壁体１１，１２の下端には、ほぼ水平に延びる板状の折り返し部２３Ａ，２３Ｂが連設されている。
【００３８】
また、図２に示したタイトフレーム９に代えて、例えば、図９（Ａ）および（Ｂ）に示すように、中間タイプのタイトフレーム２４Ａと、端部タイプのタイトフレーム２４Ｂとを用いてもよい。すなわち、中間タイプのタイトフレーム２４Ａは、折板屋根材１の第二係止部８が係止する四つの第二被係止部１６を備えた第二嵌合部Ｋ２を有しており、図２に示すタイトフレーム９の中間部を切り取った形状をしている。具体的には、タイトフレーム２４Ａは、一対の小壁１５と、各小壁１５の両側の壁部１４をそれぞれ半分に切断した形状を呈する壁部１４Ｘと、これらが連設される底板部１０の一部とを備えている。また、端部タイプのタイトフレーム２４Ｂは、折板屋根材１の第一係止部７が係止する第一被係止部１２ａ（１１ａ）を含む壁体１２（１１）と、二つの第二被係止部１６とを有しており、図２に示すタイトフレーム９の端部を切り取った形状をしている。具体的には、タイトフレーム２４Ｂは、壁体１２（１１）と、一対の壁部１４Ｂ（１４Ａ）と、各壁部１４Ｂ（１４Ａ）に連なる小壁１５をそれぞれ半分に切断した形状を呈する小壁１５Ｘと、これらが連設された底板部１０の一部とを備えている。
【００３９】
同様に、図７に示したタイトフレーム９に代えて、例えば、図１０（Ａ）および（Ｂ）に示すように、中間タイプのタイトフレーム２５Ａと、端部タイプのタイトフレーム２５Ｂとを用いてもよい。すなわち、中間タイプのタイトフレーム２５Ａは、折板屋根材１の第二係止部８が係止する二つの第二被係止部１６を備えた第二嵌合部Ｋ２を有しており、図７に示すタイトフレーム９の中間部を切り取り、若干変形させた形状をしている。具体的には、タイトフレーム２５Ａは、一つの底部１８の両側に、図７に示す盛り上がり部１７を半分に切断した形状を呈する二つの盛り上がり部２６を備え、各盛り上がり部２６の外側端部には、鉛直方向に延びる側壁２７が連設され、この側壁２７の下端には板状の折り返し部２８が連設されている。また、端部タイプのタイトフレーム２５Ｂは、折板屋根材１の第一係止部７が係止する第一被係止部１２ａ（１１ａ）を含む壁体１２（１１）と、一つの第二被係止部１６とを有しており、図７に示すタイトフレーム９の端部を切り取った形状をしている。具体的には、タイトフレーム２５Ｂは、壁体１２（１１）と、盛り上がり部１７Ｂ（１７Ａ）と、この盛り上がり部１７Ｂ（１７Ａ）に連なる底部１８を半分に切断した形状を呈する底部１８Ｘとを備えている。
【００４０】
ここで、図９（Ａ）および図１０（Ａ）に示した中間タイプのタイトフレーム２４Ａ，２５Ａは、それぞれ複数連ねて一体的に形成されていてもよい。
【００４１】
また、図２および図７に示したタイトフレーム９についてのみ、図９および図１０に示すように中間タイプと端部タイプとの２種類のタイトフレームで作成することができる旨を上述したが、図６に示したタイトフレーム９など他の構成のタイトフレームについても、中間タイプと端部タイプとの２種類のタイトフレームで作成されていてもよい。
【００４２】
さらに、図５に示す折板屋根材１に対応するタイトフレームとして、図１１（Ａ）に示すタイトフレーム２９を用いてもよい。この図に示すように、タイトフレーム２９は、山状板部３０と、この山状板部３０の両端に連設される底板部３１とを備え、一枚の長尺の薄金属板（鋼帯等）からプレス成形（切り起こし）により成形することができる形状となっている。
【００４３】
前記山状板部３０は、二つの側壁部３２と、これらの側壁部３２の上側に連設され、ほぼ水平に延びる天部３３とを備えている。各側壁部３２の下部３２ａはほぼ鉛直方向に起立し、上部３２ｂはこの下部３２ａから斜め上方向に向けて延びている。
【００４４】
そして、前記天部３３の中央部から一方の側壁部３２の上部にかけてほぼコの字形状の切り込み３４を設け、この切り込み３４で囲まれた部位を起こして前記第一嵌合部Ｋ１を形成してある。さらに、この第一嵌合部Ｋ１の上部中央に切り込みを設けて二つの部位１１ａ，１２ａを形成し、二つの部位を互いに異なる方向へと折り曲げることにより前記第一被係止部１１ａ，１２ａを形成している。
【００４５】
また、前記側壁部３２の下部３２ａにほぼコの字形状を切り込み３５を設け、この切り込み３５で囲まれた部位を起こして、側壁部３２から側方に向けて延びる被係止部本体３６ａを形成してある。さらに、この被係止部本体３６ａにほぼエの字形状の切り込みを設けて二つの部位３６ｂ，３６ｃを形成し、二つの部位３６ｂ，３６ｃを上側に起こして、前記被係止部本体３６ａの側壁部３２に連設された部分を軸とした上方向への回動を防止（規制）するストッパとしてある。そして、前記被係止部本体３６ａとストッパ３６ｂ，３６ｃとによって前記第二被係止部１６が構成されている。なお、各ストッパ３６ｂ，３６ｃと側壁部３２との間の隙間はかなり小さくなるように構成されている。
【００４６】
ここで、前記タイトフレーム２９は、図１２に示すように、適宜の間隔をおいて複数並べて配置される。そして、隣り合うタイトフレーム２９の向かい合う二つの前記第二被係止部１６によって第二嵌合部Ｋ２が構成される。また、前記タイトフレーム２９の第一嵌合部Ｋ１は、折板屋根材１の複数の頂部４のうちの一部のみと嵌合固定するのではなく、各頂部４と嵌合固定するように構成されている。
【００４７】
また、前記被係止部本体３６ａの先端部は、図１１（Ａ）および（Ｂ）に示すように、下方に折曲しており、これにより、折板屋根材１の第二係止部８をスムーズに通過させるためのガイド部３７となっている。上記の構成により、折板屋根材１の底部３とタイトフレーム２９の第二嵌合部Ｋ２との嵌合作業が容易となり、また、この作業時に折板屋根材１が傷つくことを確実に防止することができる。なお、前記ガイド部３７を形成するために、被係止部本体３６ａの先端部を下方に折曲する構成に代えて、前記先端部の上側コーナーのＲ加工等を行ってもよい。
【００４８】
上記タイトフレーム２９では、被係止部本体３６ａは弾性変形により側壁部３２に連設された部分を軸に若干回動して先端側が下がることはあるが、その反対方向の弾性変形、すなわち、側壁部３２に連設された部分を軸に若干回動して先端側が上がる弾性変形は、前記ストッパ３６ｂ，３６ｃにより規制（防止）される。従って、前記被係止部本体３６ａの第二係止部８との係止が解除される方向への変形が規制されることになり、図１２に示すように、タイトフレーム２９に折板屋根材１を取り付けた際に、タイトフレーム２９の底部３が第二嵌合部Ｋ２から簡単に抜けてしまうことを確実に防止することができ、底部３と第二嵌合部Ｋ２との嵌合状態を良好に保つことができる。
【図面の簡単な説明】
【００４９】
【図１】本発明の一実施の形態に係る折板屋根材の取付構造に用いられる折板屋根材の構成を概略的に示す正面図である。
【図２】上記実施の形態におけるタイトフレームの構成を概略的に示す斜視図である。
【図３】前記折板屋根材どうしの連結作業途中の構成を概略的に示す説明図である。
【図４】前記折板屋根材の取付構造の構成を概略的に示す正面図である。
【図５】前記折板屋根材の変形例の構成を概略的に示す正面図である。
【図６】前記タイトフレームの第１変形例の構成を概略的に示す斜視図である。
【図７】前記タイトフレームの第２変形例の構成を概略的に示す斜視図である。
【図８】前記タイトフレームの第３変形例の構成を概略的に示す斜視図である。
【図９】（Ａ）および（Ｂ）は、図２に示すタイトフレームの中間タイプおよび端部タイプの構成を概略的に示す斜視図である。
【図１０】（Ａ）および（Ｂ）は、図７に示すタイトフレームの中間タイプおよび端部タイプの構成を概略的に示す斜視図である。
【図１１】（Ａ）および（Ｂ）は、前記タイトフレームの第４変形例の構成を概略的に示す斜視図および要部拡大正面図である。
【図１２】図１１に示すタイトフレームを用いる折板屋根材の取付構造の構成を概略的に示す正面図である。
【符号の説明】
【００５０】
１    折板屋根材
３    底部
４    頂部
７    第一係止部
８    第二係止部
９    タイトフレーム
１１ａ  第一被係止部
１２ａ  第一被係止部
１６    第二被係止部
Ｋ１  第一嵌合部
Ｋ２  第二嵌合部
【図１】
2006046004.tif 000003
【図２】
2006046004.tif 000004
【図３】
2006046004.tif 000005
【図４】
2006046004.tif 000006
【図５】
2006046004.tif 000007
【図６】
2006046004.tif 000008
【図７】
2006046004.tif 000009
【図８】
2006046004.tif 000010
【図９】
2006046004.tif 000011
【図１０】
2006046004.tif 000012
【図１１】
2006046004.tif 000013
【図１２】
2006046004.tif 000014